(57)【要約】【課題】使用者が任意の時間に通話方法をテレビ通話から音声通話に、あるいは音声通話からテレビ通話に切り替えることができるテレビ電話装置を提供する。【解決手段】制御手段３０は、音声通話中にテレビ通話への切り替え指示があると、通話相手のテレビ電話装置に対して、テレビ通話の呼で発呼し、テレビ通話の呼が通話相手のテレビ電話装置に着呼し呼が確立すると、音声通話の呼を切断し、その後テレビ通話の呼のみで通話し、一方、通話相手のテレビ電話装置からテレビ通話の呼が着呼すると、着呼したテレビ通話の呼を接続し、呼が確立すると、音声通話の呼を切断し、その後、テレビ通話の呼のみで通話する。逆に、テレビ通話中に音声通話への切り替え指示がある場合及び通話相手のテレビ電話装置から音声通話の呼が着呼すると、上記と逆の処理を行う。【選択図】      図１
2004221738.tif 000002
【特許請求の範囲】
【請求項１】
音声のみの音声通話又は音声と動画像を含むテレビ通話で通話が可能なテレビ電話装置であって、テレビ通話を行うときにはテレビ通話用の呼で無線通信を行い、音声通話を行うときには音声通話用の呼で無線通信を行う無線通信手段と、通話相手のテレビ電話装置の電話番号を識別する電話番号識別手段と、本装置を操作するための操作手段と、音声通話の呼を使用して音声通話を行っているときに前記操作手段にてテレビ通話に切り替える操作が行われた場合、前記無線通信手段を制御して前記電話番号識別手段で識別された通話中の相手のテレビ電話装置に対してテレビ通話の呼の発呼処理を行い、この発呼処理により通話相手の前記テレビ電話装置に着呼して呼が確立すると音声通話の呼を切断してテレビ通話に切り替え、一方、前記電話番号識別手段により識別された通話中の相手の前記テレビ電話装置からテレビ通話の呼を着呼した場合には、前記無線通信手段を制御してテレビ通話の呼を接続し、それまで通話していた前記音声通話の呼を切断してテレビ通話に切り替える制御手段と、を具備することを特徴とするテレビ電話装置。
【請求項２】
前記制御手段は、テレビ電話の呼を使用してテレビ通話を行っているときに、前記操作手段にて音声通話に切り替える操作が行われた場合、前記無線通信手段を制御して前記電話番号識別手段で識別された通話中の相手の前記テレビ電話装置に対して音声通話の呼の発呼処理を行い、この発呼処理により通話相手の前記テレビ電話装置に着呼し呼が確立するとテレビ通話の呼を切断して音声通話に切り替え、一方、前記電話番号識別手段により識別された通話中の相手の前記テレビ電話装置から音声通話の呼を着呼した場合には、前記無線通信手段を制御して音声通話の呼を接続し、それまで通話していた前記テレビ通話の呼を切断して音声通話に切り替えることを特徴とする請求項１に記載のテレビ電話装置。
【請求項３】
通話開始時に時間の計測を開始し、設定された時間が経過すると前記制御手段に通知する時間計測手段を具備し、前記制御手段は、前記操作手段にて時間を設定する入力があるとその時間を前記時間計測手段に設定し、テレビ通話の呼を接続して通話を開始したときに前記時間計測手段の時間計測を開始させ、設定時間が経過して前記時間計測手段から通知があると、通話相手の前記テレビ電話装置に対して新たに音声通話の呼を発呼し、通話相手の前記テレビ電話装置が着呼し呼が確立すると、テレビ通話の呼を切断して音声通話の呼で通話を行うことを特徴とする請求項２に記載のテレビ電話装置。
【請求項４】
音声のみの音声通話又は音声と動画像を含むテレビ通話で通話が可能なテレビ電話装置のテレビ電話制御方法であって、通話中に通話方式の切り替え指示があると、通話相手のテレビ電話装置に対してそれまでとは異なる通話方式の新たな呼で発呼し、新たな呼が通話相手の前記テレビ電話装置に着呼し呼が確立すると、それまでの呼を切断し、その後新たな呼のみで通話し、一方、通話相手の前記テレビ電話装置から新たな呼が着呼すると、着呼した新たな呼を接続し、呼が確立すると、それまでの呼を切断し、その後新たな呼のみで通話することを特徴とするテレビ電話制御方法。
【請求項５】
テレビ通話の呼を使用してテレビ通話を行うときに、通話開始時に時間計測を始め、通話開始から予め設定した時間が経過すると、通話相手のテレビ電話装置に対して、音声通話の呼を発呼し、通話相手の前記テレビ電話装置が着呼し呼が確立すると、テレビ通話の呼を切断し、音声通話の呼で通話を行うことを特徴とする請求項４に記載のテレビ電話制御方法。
【発明の詳細な説明】
【０００１】
【発明が属する技術分野】
本発明は、テレビ電話装置及びテレビ電話制御方法に関する。
【０００２】
【従来の技術】
近年、データ転送速度の速い第３世代携帯電話サービスが開始され、携帯電話機での通話は、音声のみの通信だけでなく、動画像も加えた通信ができるテレビ通話が可能となった。テレビ通話は音声通話に比べて消費電力が大きいために通話時間が短く、また通話料が割高になる。このため、テレビ電話装置の使用法として、一回の通話中に常にテレビ通話を行うのではなく、通常は音声のみの通話を行い、必要なときにテレビ通話を行うといった使い方をすれば、通話料を節約できるとともに、長時間に亘る通話が可能となる。
【０００３】
従来、テレビ電話装置の音声通話とテレビ通話の切り替えに関しては、電池電圧が低下してくると、テレビ通話を停止して音声のみの通話に切り替える方法（例えば、特許文献１参照）や、十分な伝送速度を得られない場合にテレビ通話から音声通話に切り替える方法（例えば、特許文献２参照）がある。これらはいずれも使用者の意志とは関係なく外的要因により切り替えるようにしている。
【０００４】
【特許文献１】
特開２０００−３２４２１号公報（第４頁、図４）
【特許文献２】
特開２０００−３６８７５号公報（第４頁、図１）
【０００５】
【発明が解決しようとする課題】
しかしながら、従来のテレビ電話装置においては、次のような問題がある。
（１）音声のみの通話とテレビ通話とで通信に使用する呼（データ伝送方法）に同じものが使用されており、これを切り替えるようにはしていない。即ち常にテレビ通話の呼を張り、音声通話だけが必要な場合にはテレビ通話の呼を張ったまま動画像を表示させないことで、音声通話とテレビ通話を切り替えている。
【０００６】
（２）伝送速度によって音声通話かテレビ通話かを切り替えるという制御はあるが、伝送速度の異なる呼（データ伝送方式）を切り替える方法については明確になっていない。
【０００７】
（３）テレビ通話を行っているときには、音声通話時に比べて動画処理部や表示部（例えばＬＣＤ）並びにカメラ部（例えばＣＣＤカメラ）を動作させることから、消費電力が増加する。このため、使用者が通話の途中で画像が必要でなくなった場合でも音声通話のみに切り替えられない場合、電力を無駄に消費することになり、通話時間が短くなる。
【０００８】
（４）一般に、音声通話の呼に対して、テレビ通話の呼は通信するデータの量が多く必要なため、データの伝送速度が速くなる。伝送速度が速いと、占有周波数帯域が広くなり、送信出力が必要となる。また、ベースバンド部での変復調の処理も増大するので、更に電力が必要になる。このため、テレビ通話と音声通話で呼を切り替えずに、常にテレビ通話の呼で接続したままの場合、装置の消費電力は大きくなり、通話時間が短くなってしまう。
【０００９】
（５）携帯電話の事業者にとっても、音声のみの呼であれば、狭い帯域で通信が可能であるが、テレビ通話の呼をそのまま使用しているとすると、無駄な帯域を使用していることになり、結果的にセル内の加入者容量の減少につながる。
【００１０】
（６）一般に通話料金は音声通話に対してテレビ通話が高く設定されていることが多い。この場合、テレビ通話と音声通話で呼を切り替えずに、音声通話時にも常にテレビ通話の呼で接続したままとすると、音声のみの通話であるにもかかわらず、テレビ通話の利用料金を支払わなければならないという不利益が生じてしまう。
【００１１】
本発明は、係る点に鑑みてなされたものであり、使用者が任意の時間に通話方法をテレビ通話から音声通話に、あるいは音声通話からテレビ通話に切り替えることができるテレビ電話装置及びテレビ電話制御方法を提供することを目的とする。
【００１２】
【課題を解決するための手段】
請求項１に係る発明のテレビ電話装置は、音声のみの音声通話又は音声と動画像を含むテレビ通話で通話が可能なテレビ電話装置であって、テレビ通話を行うときにはテレビ通話用の呼で無線通信を行い、音声通話を行うときには音声通話用の呼で無線通信を行う無線通信手段と、通話相手のテレビ電話装置の電話番号を識別する電話番号識別手段と、本装置を操作するための操作手段と、音声通話の呼を使用して音声通話を行っているときに前記操作手段にてテレビ通話に切り替える操作が行われた場合、前記無線通信手段を制御して前記電話番号識別手段で識別された通話中の相手のテレビ電話装置に対してテレビ通話の呼の発呼処理を行い、この発呼処理により通話相手の前記テレビ電話装置に着呼して呼が確立すると音声通話の呼を切断してテレビ通話に切り替え、一方、前記電話番号識別手段により識別された通話中の相手の前記テレビ電話装置からテレビ通話の呼を着呼した場合には、前記無線通信手段を制御してテレビ通話の呼を接続し、それまで通話していた前記音声通話の呼を切断してテレビ通話に切り替える制御手段と、を具備することを特徴とする。
【００１３】
この構成によれば、音声通話中に通話方式の切り替え指示があると、通話相手のテレビ電話装置に対して、テレビ通話の呼で発呼し、テレビ通話の呼が通話相手のテレビ電話装置に着呼し呼が確立すると、音声通話の呼を切断し、その後、テレビ通話の呼のみで通話し、一方、通話相手のテレビ電話装置からテレビ通話の呼が着呼すると、着呼したテレビ通話の呼を接続し、呼が確立すると、それまでの音声通話の呼を切断し、その後、テレビ通話の呼のみで通話する。
【００１４】
したがって、通話を切断することなく使用者が好きなタイミングで通話方式を音声通話の呼からテレビ通話の呼に切り替えることができるので、通話方法によって呼を切り替えることで装置の消費電力を低く抑えることができ、装置の動作時間の延長化が図れるとともに、テレビ通話時の通話料金が高い場合には通話料金を抑えることができる。また、占有周波数帯域幅を抑えることができるので、システムの周波数利用効率を向上させることができ、セル内の加入者容量を増加させることができる。
【００１５】
請求項２に係る発明のテレビ電話装置は、請求項１に係る発明のテレビ電話装置において、前記制御手段は、テレビ電話の呼を使用してテレビ通話を行っているときに、前記操作手段にて音声通話に切り替える操作が行われた場合、前記無線通信手段を制御して前記電話番号識別手段で識別された通話中の相手の前記テレビ電話装置に対して音声通話の呼の発呼処理を行い、この発呼処理により通話相手の前記テレビ電話装置に着呼し呼が確立するとテレビ通話の呼を切断して音声通話に切り替え、一方、前記電話番号識別手段により識別された通話中の相手の前記テレビ電話装置から音声通話の呼を着呼した場合には、前記無線通信手段を制御して音声通話の呼を接続し、それまで通話していた前記テレビ通話の呼を切断して音声通話に切り替えることを特徴とする。
【００１６】
この構成によれば、テレビ通話中に通話方式の切り替え指示があると、通話相手のテレビ電話装置に対して、音声通話の呼で発呼し、音声通話の呼が通話相手のテレビ電話装置に着呼し呼が確立すると、テレビ通話の呼を切断し、その後、音声通話の呼のみで通話し、一方、通話相手のテレビ電話装置から音声通話の呼が着呼すると、着呼した音声通話の呼を接続し、呼が確立すると、それまでのテレビ通話の呼を切断し、その後、音声通話の呼のみで通話する。
【００１７】
したがって、通話を切断することなく使用者が好きなタイミングで通話方式をテレビ通話の呼から音声通話の呼に切り替えることができるので、通話方法によって呼を切り替えることで装置の消費電力を低く抑えることができ、装置の動作時間の延長化が図れるとともに、テレビ通話時の通話料金が高い場合には通話料金を抑えることができる。また、占有周波数帯域幅を抑えることができるので、システムの周波数利用効率を向上させることができ、セル内の加入者容量を増加させることができる。
【００１８】
請求項３に係る発明のテレビ電話装置は、請求項２に係る発明のテレビ電話装置において、通話開始時に時間の計測を開始し、設定された時間が経過すると前記制御手段に通知する時間計測手段を具備し、前記制御手段は、前記操作手段にて時間を設定する入力があるとその時間を前記時間計測手段に設定し、テレビ通話の呼を接続して通話を開始したときに前記時間計測手段の時間計測を開始させ、設定時間が経過して前記時間計測手段から通知があると、通話相手の前記テレビ電話装置に対して新たに音声通話の呼を発呼し、通話相手の前記テレビ電話装置が着呼し呼が確立すると、テレビ通話の呼を切断して音声通話の呼で通話を行うことを特徴とする。
【００１９】
この構成によれば、テレビ電話通話開始時から使用者が設定した時間が経過すると自動的に音声通話に切り替えるので、通話料金や消費電力を抑えることができる。また、通話中常に動画像を表示させるのではなく、例えば始めの何分かだけテレビ通話を行い、その後は音声通話を行うという使い方もできるので、利便性向上が図れる。
【００２０】
請求項４に係る発明のテレビ電話制御方法は、音声のみの音声通話又は音声と動画像を含むテレビ通話で通話が可能なテレビ電話装置のテレビ電話制御方法であって、通話中に通話方式の切り替え指示があると、通話相手のテレビ電話装置に対してそれまでとは異なる通話方式の新たな呼で発呼し、新たな呼が通話相手の前記テレビ電話装置に着呼し呼が確立すると、それまでの呼を切断し、その後新たな呼のみで通話し、一方、通話相手の前記テレビ電話装置から新たな呼が着呼すると、着呼した新たな呼を接続し、呼が確立すると、それまでの呼を切断し、その後新たな呼のみで通話することを特徴とする。
【００２１】
この方法によれば、通話を切断することなく使用者が好きなタイミングで通話方式を音声通話の呼からテレビ通話の呼に切り替えることができるので、テレビ電話装置の消費電力を低く抑えることができ、動作時間の延長化が図れる。また、テレビ電話装置の占有周波数帯域幅を抑えることができるので、システムの周波数利用効率を向上させることができ、セル内の加入者容量を増加させることができる。
【００２２】
請求項５に係る発明のテレビ電話制御方法は、請求項４に係る発明のテレビ電話制御方法において、テレビ通話の呼を使用してテレビ通話を行うときに、通話開始時に時間計測を始め、通話開始から予め設定した時間が経過すると、通話相手のテレビ電話装置に対して、音声通話の呼を発呼し、通話相手の前記テレビ電話装置が着呼し呼が確立すると、テレビ通話の呼を切断し、音声通話の呼で通話を行うことを特徴とする。
【００２３】
この方法によれば、テレビ電話通話開始時から予め設定した時間が経過すると自動的に音声通話に切り替えるので、通話料金や消費電力を抑えることができる。また、通話中常に動画像を表示させるのではなく、例えば始めの何分かだけテレビ通話を行い、その後は音声通話を行うという使い方もできるので、利便性向上が図れる。
【００２４】
【発明の実施の形態】
以下、本発明の実施の形態について、図面を参照して詳細に説明する。
【００２５】
〔実施の形態１〕
図１は、本発明の実施の形態１に係るテレビ電話装置の構成を示すブロック図である。図１に示すように、本実施の形態のテレビ電話装置１は、無線通信部（無線通信手段）１０と、呼制御部１１と、制御部１２と、電話番号識別部（電話番号識別手段）１３と、音声処理部１４と、動画像処理部１５と、外部入力部（操作手段）１６と、音声出力部１７と、音声入力部１８と、画像表示部１９と、撮像部２０とを備えて構成されている。なお、呼制御部１１と制御部１２により制御手段３０が構成されている。
【００２６】
無線通信部１０は、テレビ通話を行うときにはテレビ通話用の呼で基地局（図示略）と無線通信を行い、音声通話を行うときには音声通話用の呼で基地局と無線通信を行う。呼制御部１１は、無線通信部１０を制御するとともに、制御部１２から通話相手に送信する符号化・圧縮化された音声や動画データを取得して無線通信部１０に入力し、また無線通信部１０から通話相手の符号化・圧縮化された音声や動画データを取得して制御部１２に入力する。また、通話中にも新たな呼を張る制御を行う。
【００２７】
制御部１２は、本装置１の各部を制御するものであり、呼制御部１１と、音声処理部１４又は動画像処理部１５との間で符号化・圧縮化された使用者の音声データや動画像データの転送を行う。電話番号識別部１３は、通話相手の電話番号を識別して制御部１２に伝える。音声処理部１４は、制御部１２から入力された通話相手の音声符号化圧縮データを復号して音声出力部１７に入力するとともに、音声入力部１８から入力された本装置使用者の通話音声を符号化圧縮して制御部１２に入力する。動画像処理部１５は、制御部１２から入力された通話相手の動画像符号化圧縮データを復号して画像表示部１９に入力するとともに、撮像部２０から入力された本装置使用者の動画像を符号化圧縮して制御部１２に入力する。
【００２８】
外部入力部１６は、複数のキー釦を有して構成され、本装置１の操作に使用される。音声出力部１７は、例えばレシーバであり、音声処理部１４から入力された音声データを音として出力する。音声入力部１８は、例えばマイクであり、使用者の声あるいは周囲の音を取り込んで音声データとして音声処理部１４に入力する。画像表示部１９は、例えば液晶ディスプレイであり、動画像処理部１５から入力された動画データを画像として出力する。撮像部２０は、例えばＣＣＤカメラであり、使用者あるいは周囲の映像を撮影し、動画像データを動画像処理部１５に入力する。
【００２９】
次に、本実施の形態のテレビ電話装置１の動作について、図２及び図３に示すフローチャートを参照して説明する。
【００３０】
図２に示すフローチャートは、テレビ電話装置１が、音声通話呼で音声通話中に使用者がテレビ通話への切り替え操作を行った場合あるいは通話相手からテレビ通話呼の着呼があった場合の動作を示すものである。
【００３１】
図２において、制御部１２は、外部入力部１６からの入力信号に基づいて音声通話からテレビ通話（ＴＶ通話）へ切り替える操作が行われたかどうかを判定する（ステップＳ１０１）。この判定において、テレビ通話に切り替える操作が行われた場合、ステップＳ１０２へ進み、行われなければステップＳ１０６へ進む。ステップＳ１０２に進むと、制御部１２は、電話番号識別部１３で識別された通話相手の電話番号へテレビ通話の呼を発呼するよう呼制御部１１に指示を出し、テレビ通話の呼を発呼する。
【００３２】
次いで、ステップＳ１０３に進み、発呼したテレビ通話の呼を相手が着信し、呼が確立したかどうかを判定する。この判定において、発呼したテレビ通話の呼を相手が着信し、呼が確立したらステップＳ１０４へ進み、呼が確立していなければステップＳ１０３へ戻る。呼が確立した場合、制御部１２は、これまで通話していた音声通話の呼を切断するよう呼制御部１１へ指示を出し、音声通話呼を切断する（ステップＳ１０４）。その後、テレビ通話の呼で通話を行う（ステップＳ１０５）。
【００３３】
一方、制御部１２は、ステップＳ１０１の判定において、テレビ通話に切り替える操作が行われていないと判定した場合、通話相手からのテレビ通話着呼があるかどうかを判定する（ステップＳ１０６）。通話相手からのテレビ通話着呼がない場合は再びステップＳ１０１に戻り、テレビ通話着呼がある場合にはステップＳ１０７に進む。ステップＳ１０７に進むと、制御部１２は、着呼したテレビ通話呼を接続しテレビ通話呼を確立する。そして、それまで通話していた音声通話呼を切断し（ステップＳ１０８）、その後テレビ通話呼でテレビ通話を行う（ステップＳ１０９）。
【００３４】
次に、図３に示すフローチャートは、テレビ電話装置１が、テレビ通話呼でテレビ通話中に使用者が音声通話への切り替え操作を行った場合あるいは通話相手から音声通話呼の着呼があった場合の動作を示すものである。
【００３５】
図３において、制御部１２は、外部入力部１６からの入力信号に基づいてテレビ通話から音声通話へ切り替える操作が行われたかどうかを判定する（ステップＳ２０１）。この判定において、テレビ通話に切り替える操作が行われた場合、ステップＳ２０２へ進み、行われなければステップＳ２０６へ進む。ステップＳ２０２に進むと、制御部１２は、電話番号識別部１３で識別された通話相手の電話番号へ音声通話の呼を発呼するよう呼制御部１１に指示を出し、音声通話の呼を発呼する。
【００３６】
次いで、ステップＳ２０３に進み、発呼した音声通話の呼を相手が着信し、呼が確立したかどうかを判定する。この判定において、発呼した音声通話の呼を相手が着信し、呼が確立するとステップＳ２０４へ進み、呼が確立していなければステップＳ２０３へ戻る。呼が確立した場合、制御部１２は、これまで通話していたテレビ通話の呼を切断するよう呼制御部１１へ指示を出し、テレビ通話呼を切断する（ステップＳ２０４）。その後、音声通話の呼で通話を行う（ステップＳ２０５）。
【００３７】
一方、制御部１２は、ステップＳ２０１の判定において、音声通話に切り替える操作が行われていないと判定した場合は、通話相手からの音声通話着呼があるかどうかを判定する（ステップＳ２０６）。通話相手からの音声通話着呼がない場合は再びステップＳ２０１に戻り、音声通話着呼がある場合にはステップＳ２０７に進む。ステップＳ２０７に進むと、制御部１２は、着呼した音声通話呼を接続し音声通話呼を確立する。そして、それまで通話していたテレビ通話呼を切断し（ステップＳ２０８）、その後音声通話呼で音声通話を行う（ステップＳ２０９）。
【００３８】
このように、本実施の形態のテレビ電話装置１によれば、音声通話中には、使用者の操作により任意のタイミングで、呼を音声通話呼からテレビ通話呼に張り替えてテレビ通話を開始することができ、また音声通話中に通話相手がテレビ通話への切り替え操作を行うと、自動的にテレビ通話に切り替えて通話を行うことができる。
【００３９】
また、テレビ通話中には、使用者の操作により任意のタイミングで、呼をテレビ通話呼から音声通話呼に張り替えて音声通話を開始することができ、またテレビ通話中に通話相手が音声通話への切り替え操作を行うと、自動的に音声通話に切り替えて通話を行うことができる。
【００４０】
〔実施の形態２〕
図４は、本発明の実施の形態２に係るテレビ電話装置の構成を示すブロック図である。なお、この図において、図１と重複する部分すなわち無線通信部１０、呼制御部１１、制御部１２、電話番号識別部１３、音声処理部１４、動画像処理部１５、外部入力部１６、音声出力部１７、音声入力部１８、画像表示部１９及び撮像部２０には同一の符号を付して説明を省略する。
【００４１】
本実施の形態のテレビ電話装置２は、上記各構成要素に加えて、時間計測部（時間計測手段）２１を備えている。時間計測部２１は、テレビ通話を開始した時点から制御部１２にて設定された時間が経過するのを計測し、設定された時間が経過すると、制御部１２にそのタイミングを知らせる。制御部１２は、呼制御部１１と音声処理部１４又は動画像処理部１５との間で符号化・圧縮化された使用者の音声データや動画像データの転送を行う一方、時間計測部２１が計測する時間の設定を行うとともに、時間計測部２１からの時間経過の通知を受けたタイミングに合わせて呼制御部１１を制御する。
【００４２】
次に、本実施の形態のテレビ電話装置２の動作について、図５に示すフローチャートを参照して説明する。
【００４３】
図５において、使用者は、テレビ通話を開始する前に外部入力部１６を使って、テレビ通話から音声通話に切り替える時間を入力する。この切り替え時間が入力されると、制御部１２は、入力された時間を計測するよう時間計測部２１に設定する（ステップＳ４０１）。なお、この時間設定は、通話前に毎回行わなくとも、以前に設定された時間が有効になるようにしても良い。使用者によって入力された時間が時間計測部２１に設定された後、テレビ通話が開始されると（ステップＳ４０２）、時間計測部２１にて時間計測が開始される（ステップＳ４０３）。
【００４４】
時間計測が開始されると、制御部１２は、計測値が設定値と等しいかどうかを判定する（ステップＳ４０４）。この判定において、計測値が設定値と等しい場合はステップＳ４０５に進み、等しくない場合にはステップＳ４０４に戻る。ステップＳ４０５に進むと、電話番号識別部１３にて識別された通話相手の電話番号へ音声通話呼を発呼するよう呼制御部１１に指示を出す。そして、発呼した音声通話呼を通話相手が着呼し、呼が確立したかどうかを判定する（ステップＳ４０６）。この判定において、呼が確立していない場合はステップＳ４０６に戻り、呼が確立した場合はステップＳ４０７へ進み、これまで通話していたテレビ通話呼を切断する。そして、音声通話呼で音声通話を行う（ステップＳ４０８）。
【００４５】
このように、本実施の形態のテレビ電話装置２によれば、通話を開始する前に、テレビ通話から音声通話へ切り替える時間を予め設定しておくことにより、テレビ通話開始後、設定時間が経過すると、通話中に操作を行わなくとも自動的にテレビ通話呼から音声通話呼に呼を張り替え、音声通話に切り替えるので、通話料金や消費電力を抑えることができる。また、通話中常に動画像を表示させるのではなく、例えば始めの何分かだけテレビ通話を行い、その後は音声通話を行うという使い方もできるので、利便性向上が図れる。
【００４６】
【発明の効果】
本発明によれば、音声通話中に通話方式の切り替え指示があると、通話相手のテレビ電話装置に対して、テレビ通話の呼で発呼し、テレビ通話の呼が通話相手のテレビ電話装置に着呼し呼が確立すると、音声通話の呼を切断し、その後、テレビ通話の呼のみで通話し、一方、通話相手のテレビ電話装置からテレビ通話の呼が着呼すると、着呼したテレビ通話の呼を接続し、呼が確立すると、それまでの音声通話の呼を切断し、その後、テレビ通話の呼のみで通話するので、通話を切断することなく使用者が好きなタイミングで、通話方式を音声通話の呼からテレビ通話の呼に切り替えることができる。そして、通話方法によって呼を切り替えることによって、装置の消費電力を低く抑えることができるので、装置動作の延長化が図れるとともに、テレビ通話時の通話料金が高い場合には通話料金を抑えることができる。また、占有周波数帯域幅を抑えることができるので、システムの周波数利用効率を向上させることができ、セル内の加入者容量を増加させることができる。
【図面の簡単な説明】
【図１】本発明の実施の形態１に係るテレビ電話装置の構成を示すブロック図である。
【図２】本発明の実施の形態１に係るテレビ電話装置の動作を説明するためのフローチャートである。
【図３】本発明の実施の形態１に係るテレビ電話装置の動作を説明するためのフローチャートである。
【図４】本発明の実施の形態２に係るテレビ電話装置の構成を示すブロック図である。
【図５】本発明の実施の形態２に係るテレビ電話装置の動作を説明するためのフローチャートである。
【符号の説明】
１、２  テレビ電話装置
１０  無線通信部
１１  呼制御部
１２  制御部
１３  電話番号識別部
１４  音声処理部
１５  動画像処理部
１６  外部入力部
１７  音声出力部
１８  音声入力部
１９  画像表示部
２０  撮像部
２１  時間計測部
３０  制御手段
【図１】
2004221738.tif 000003
【図２】
2004221738.tif 000004
【図３】
2004221738.tif 000005
【図４】
2004221738.tif 000006
【図５】
2004221738.tif 000007